(57)【要約】【課題】遊技機枠体内の空気の熱を伝達することで、所定の対象物、例えば遊技者の所有物を温めることが可能な遊技機を提供する。  【解決手段】前面に遊技領域を設けた遊技機枠体と、遊技機枠体の前面に設けられ、所定の対象物を保持する保持手段５０と、遊技機枠体内に設けられ、遊技機枠体内の空気の熱を保持手段５０に伝達する熱伝達手段１７１とを備えることにより、保持手段５０に保持された所定の対象物を温めることが可能とした。【選択図】図７
2007307112.tif 000002
【特許請求の範囲】
【請求項１】
前面に遊技領域を設けた遊技機枠体と、
前記遊技機枠体の前面に設けられ、所定の対象物を保持する保持手段と、
前記遊技機枠体内に設けられ、前記遊技機枠体内の空気の熱を前記保持手段に伝達する熱伝達手段とを備えた、
ことを特徴とする遊技機。
【請求項２】
前記遊技機枠体に設けられ、前記遊技機枠体内の空気の熱を所定の対象物に向けて前記遊技機枠体の前面に排出する排熱手段を備えた、
ことを特徴とする請求項１記載の遊技機。
【請求項３】
前記保持手段は、前記遊技機枠体内の空気の熱を排出する排熱手段を有する、
ことを特徴とする請求項１記載の遊技機。
【請求項４】
前記遊技機枠体内の空気の熱を前記排熱手段によって排出可能な開位置と、前記遊技機枠体内の空気の熱を前記排熱手段によって排出不可能な閉位置とに変位可能な開閉部材と、
前記開閉部材を前記開位置と前記閉位置とに変位させる開閉変位手段とを有する、
ことを特徴とする請求項２または３に記載の遊技機。
【請求項５】
前記保持手段が保持する所定の対象物が収納される収納室と、
前記収納室に開閉可能に取り付けられた扉部とを備えた、
ことを特徴とする請求項１から４の何れか一項に記載の遊技機。
【発明の詳細な説明】
【技術分野】
【０００１】
本発明は遊技機に関し、特に遊技機枠体内の空気中において熱が発生する遊技機に関するものである。
【背景技術】
【０００２】
従来の遊技機においては、遊技者の所有する紙コップなどを保持する保持手段が備えられている場合が多い。
【０００３】
特開平１０−２６３１６８号公報には、上皿の前側面にテーブルを取り付け、球受け部に小物入れを設けることが記載されている。
【０００４】
また、特開平１０−３２３４５２号公報には、複数個の貫通穴を有する底部を、紙コップや缶などの置き台とすることが記載されている。
【特許文献１】特開平１０−２６３１６８号公報
【特許文献２】特開平１０−３２３４５２号公報
【発明の開示】
【発明が解決しようとする課題】
【０００５】
しかしながら、これらの遊技機では、単に紙コップなどを置くだけの用途しかなく、遊技者にとって喜ばれるような態様の提供が望まれるところである。
【０００６】
そこで、本発明は、遊技者の所有物を、遊技者に喜ばれるような態様で保持することができる遊技機を提供することを目的とする。
【課題を解決するための手段】
【０００７】
上記課題を解決するため、請求項１に記載の本発明の遊技機は、前面に遊技領域を設けた遊技機枠体と、前記遊技機枠体の前面に設けられ、所定の対象物を保持する保持手段と、前記遊技機枠体内に設けられ、前記遊技機枠体内の空気の熱を前記保持手段に伝達する熱伝達手段とを備えた、ことを特徴とする。
【０００８】
このように、本来であれば、何ら役に立たずに排熱されていた遊技機枠体で発生する熱を熱伝達手段によって保持手段に伝達している。これにより、遊技機枠体内で発生した熱を所定の対象物を温めるために有効利用することができる。例えば、遊技者の保有物を保持手段によって保持した場合には、当該保持手段を介して遊技者の所有物を温めることができ、遊技者へ遊技以外のサービスを提供することが可能となる。従って、遊技者に喜ばれるような態様での所定の所有物の保持が可能な遊技機を提供し得る。
【０００９】
請求項２に記載の本発明は、請求項１に記載の発明の構成に加えて、前記遊技機枠体に設けられ、前記遊技機枠体内の空気の熱を所定の対象物に向けて前記遊技機枠体の前面に排出する排熱手段を備えた、ことを特徴とする。
【００１０】
このように、排熱手段を介して熱を遊技機枠体内から排出することにより、保持手段に保持された所定の対象物を直接的に加熱することが可能となるので、所定の対象物への加熱効率を向上させることができる。
【００１１】
また、遊技機枠体内の熱を外へ排出するので、電子部品の熱の上昇による誤動作を防止するという効果も同時に得ることが可能となる。
【００１２】
請求項３に記載の本発明は、請求項１に記載の発明の構成に加えて、前記保持手段は、前記遊技機枠体内の空気の熱を排出する排熱手段を有する、ことを特徴とする。
【００１３】
このように、保持手段自体から遊技機枠体で発生した熱を排出することにより、排熱部と遊技者の所有物の保持部とを一体化しているので、構造を簡素化することができる。
【００１４】
また、例えば、保持手段の形状が遊技者の所有物を乗せるトレー型の場合、遊技者の所有物と接する面から放熱されるので、より直接的に、当該所有物を加熱することができ、より効率的な熱利用が可能となる。
【００１５】
また、遊技機枠体内の熱を外へ排出するので、電子部品の熱の上昇による誤動作を防止するという効果も同時に得ることが可能となる。
【００１６】
請求項４に記載の本発明は、請求項２または３に記載の発明の構成に加えて、前記遊技機枠体内の空気の熱を前記排熱手段によって排出可能な開位置と、前記遊技機枠体内の空気の熱を前記排熱手段によって排出不可能な閉位置とに変位可能な開閉部材と、前記開閉部材を前記開位置と前記閉位置とに変位させる開閉変位手段とを有する、ことを特徴とする。
【００１７】
このように、例えば遊技者は、排熱手段により排熱がされる状態と排熱がなされない状態とに、開閉変位手段を操作することによって切り替えることができる。
【００１８】
これにより、遊技者は、自らの所有物を加熱するか否かを選択することも可能となるので、より遊技者の望む態様で遊技者の所有物を保持し得る。
【００１９】
請求項５に記載の本発明は、請求項１から４の何れか一項に記載の発明の構成に加えて、前記保持手段が保持する所定の対象物が収納される収納室と、前記収納室に開閉可能に取り付けられた扉部とを備えた、ことを特徴とする。
【００２０】
このように、保持手段に保持された所定の対象物は、扉部を備えた収納室に収納されているので、扉部を閉めている状態では、所定の対象物は、外界と遮断され、所定の対象物を加熱する熱は外界に流出されにくくなる。そのため、保持手段に保持されている遊技者の所有物をより効率的に加熱することが可能となる。
【００２１】
また、保持手段は収納室内に設けられているので、例えば、遊技者が保持手段に飲料用缶をおいている場合、飲み口から飲料用缶内に埃等が進入しにくくすることが可能となる。
【発明の効果】
【００２２】
本発明によれば、遊技機枠体内の空気の熱を熱伝達手段によって保持手段に伝達することで、保持手段に保持された所定の対象物、例えば遊技者の所有物を温めることが可能となり、遊技者に喜ばれるような態様で所定の対象物を保持することが可能な遊技機を提供することが可能になる。
【発明を実施するための最良の形態】
【００２３】
以下、本発明を実施するための最良の形態を、図面を参照しつつさらに具体的に説明する。ここで、添付図面において同一の部材には同一の符号を付しており、また、重複した説明は省略されている。なお、ここでの説明は本発明が実施される最良の形態であることから、本発明は当該形態に限定されるものではない。
【００２４】
図１は本発明の一実施の形態である遊技機を示す斜視図、図２は図１に示した遊技機の正面を示す正面図、図３は図２に示した遊技盤の正面を示す正面図、図４は図１に示した遊技機の要部を示す分解斜視図、図５は本実施の形態に係る本体の要部の正面を示す正面図、図６は本実施の形態に係る本体の裏面（背面）を示す斜視図、図７は本実施の形態に係る皿ユニットを示す分解斜視図、図８は本実施の形態に係る保持ユニットを示す斜視図、図９は本実施の形態に係る保持手段を真上から示す図、図１０は皿ユニットの要部の他の例を示す斜視図である。
【００２５】
図１〜図４に示すように、パチンコ遊技機（遊技機枠体）１は、遊技店の島設備に取り付けられる外枠９と、該外枠９に支持され、遊技の実行のときに必要な所定の機構が取り付けられる本体１０と、遊技盤２１（図２および図３参照）の背後に設けられ、本体１０に対しこの本体１０の表面側から取り付けられる表示装置としての液晶表示装置（図４参照）２２と、この本体１０に取り付けられるガラス扉３、上皿部４、皿ユニット５、カバー６およびハンドル７とを備えている。
【００２６】
図１、図２および図４に示すように、ガラス扉３と上皿部４とは一体化されて形成されており、この一体化された開閉扉（開閉体）２３は、その一端が本体１０に回動可能に軸支され、他端が本体１０に係合するようになっている。ガラス扉３は、遊技盤２１を視認可能に覆うものである。
【００２７】
上皿部４はガラス扉３の下側に位置し、払い出された遊技球および遊技領域に打ち込まれる遊技球が貯留される上皿４ａを有している。上皿部４の所定の位置に、遊技終了時などにおいて上皿４ａに貯留された遊技球を後述する下皿５ａに移動させて取り出す場合に操作されるシャッタレバー８が設けられている。
【００２８】
上皿部４の下側に位置する皿ユニット５は、本体１０に固定されており、払い出しにより上皿４ａからオーバーフローした遊技球が貯留される下皿５ａを有している。
【００２９】
さらに、皿ユニット５の前面には、例えば遊技者の保有する飲料用缶等（所定の対象物）を置くための保持ユニット５０が取り付けられている。保持ユニット５０は、載置された飲料缶等を加熱することができるようになっている。なお、保持ユニット５０における飲料缶等の加熱の具体的な構造については後述する。
【００３０】
皿ユニット５の右側に設けられたハンドル７は、外レール１１ａおよび内レール１１ｂ（図３参照）を介して遊技盤２１の遊技領域２１ａへ遊技球を打ち込む際に回動操作されるものであり、遊技球の発射を停止させるストップボタン（図示せず）が設けられている。
【００３１】
ガラス扉３の上側に位置するカバー６は本体１０に固定されており、カバー６の左右の部位６ａ，６ｂは、本体１０に設けられる左右のスピーカ１１０，１２０にそれぞれ対応して、スピーカ１１０，１２０からの音声が聞こえるような構造になっている。
【００３２】
液晶表示装置２２は、演出画像（例えば、遊技状態に対応したアニメーションやその他の報知情報など）等を表示可能な表示領域を備えている。
【００３３】
遊技盤２１は、図３に示すように、外レール１１ａおよび内レール１１ｂに包囲され、遊技球の流下が可能な遊技領域２１ａを有している。そして、その遊技領域２１ａには、多数の遊技くぎや風車などの障害物（図示せず）、一般入賞口１２、通過ゲート１３、可変入賞装置である大入賞口１５、アウト口１６、始動入賞口１４，１７を有する電動役物構成部材１８からなる遊技部材が配置されている。
【００３４】
この実施の形態では、遊技盤２１は、透明部材（透光性部材）で形成されており、液晶表示装置（ＬＣＤ）２２を視認可能に本体１０に対しこの本体１０の表面側から取り付けられてる。また、液晶表示装置２２に代替して、例えばプラズマディスプレイ等の表示手段を用いることもできる。
【００３５】
図４は、図１に示した遊技機の要部を示す分解斜視図を示している。この図４において、図１に示した構成要素と同様の機能を果たす部分には同一の符号を付している。
【００３６】
また、図５は、本体の要部の正面を示す正面図であり、図６は、本体の裏面（背面）を示す斜視図である。なお、図５に示す例は、図４に示した本体１０の構成においてハンドル７を削除した構成になっている。
【００３７】
次に、遊技機について、図４〜図６を参照して説明する。
【００３８】
図４および図５に示すように、遊技店の島設備に取り付けられる外枠９にヒンジ９ａ，９ｂを介して回動可能に支持される本体１０には、スピーカ１１０，１２０が取り付けられた蓋部４１０，４２０が取り付けられる。そして、図４および図６に示すように、スピーカ１２０が取り付けられている本体１０の部位に対向する当該本体１０の裏面側には、遊技球が貯留される貯留タンク１３０が取り付けられている。
【００３９】
本体１０には、図４および図５に示すように、スピーカ１１０，１２０の下の所定の位置に、液晶表示装置２２が取り付けられている。また、本体１０には、図５に示すように遊技盤２１のブラケット（取付係止部）１０１，１０２，１０３，１０４を係止する取付係止部１４１，１４２，１４３，１４４が取り付けられている。すなわち、この図５に示す状態（本体１０に液晶表示装置２２が取り付けられた状態）で、さらに上記取付係止部１４１〜１４４と遊技盤２１のブラケット１０１〜１０４とが係合されることで、当該遊技盤２１が本体１０に固定されるようになっている。
【００４０】
本体１０は、スピーカ１１０，１２０の下の所定の位置において、開閉扉（ガラス扉３および上皿部４）２３を、遊技盤２１を視認可能に（つまり遊技盤２１を通して液晶表示装置２２を視認可能に）ヒンジを介して回動可能に支持するようになっている。
【００４１】
本体１０には、図４に示すように、スピーカ１１０，１２０を覆おうようにカバー６が固定されるとともに、開閉扉２３の下の位置に、皿ユニット５が固定される。
【００４２】
また、図６に示すように、本体１０の裏面側には、液晶表示装置２２の所定の画像の表示を制御する演出制御回路を構成する演出制御基板ユニット（図示せず）、この演出制御回路に対する制御指令や遊技全体の制御を司る主制御回路を構成する主制御基板ユニット（図示せず）、各電子部品が動作するために必要な電圧の電源（例えば２４Ｖ、１２Ｖ、５Ｖなど）を生成する電源ユニット（図示せず）などを有する制御系ケース１５０が取り付けられている。
【００４３】
このように、制御系ケース１５０には、発熱部材である各電子部品が収納されているため、制御系ケース１５０が取り付けられた本体１０の背面と外枠９との間の空間は、本体１０の前面側と比べて高温になりやすくなっている。
【００４４】
この実施の形態では、本体１０に取り付けられる遊技の実行のときに必要な所定の機構とは、例えば、皿ユニット５、カバー６、ハンドル７、遊技盤２１、液晶表示装置２２、開閉扉２３、スピーカ１１０，１２０、貯留タンク１３０、取付係止部１４１〜１４４、制御系ケース１５０などである。なお、これらの機構（部材）は、一例に過ぎず、これら以外にも各種の機構が取り付けられる。
【００４５】
そして、本体１０の下部には、本体１０の前面と背面とを貫通する本体側開口部（熱伝達手段）１７０が形成されている（図５および図６参照）。
【００４６】
次に、保持ユニット５０について、図７〜図９を参照して説明する。なお、図７は皿ユニットと保持ユニットとを分解した斜視図、図８は保持ユニットを示す斜視図、図９は保持ユニットの要部を上方から示す図である。
【００４７】
図７に示すように、保持ユニット５０が前面に取り付けられた皿ユニット５には、本体側開口部１７０(図４参照）と連通する皿ユニット側開口部(熱伝達手段）１７１が形成されている。
【００４８】
ここで、保持ユニット５０は、図８に示すように、排熱用開口部(排熱手段）５２、開閉部材５３、開閉ダイヤル(開閉変位手段）５４を有する保持手段５１と、収納扉（扉部）５６を有する収納室５５とにより構成されている。
【００４９】
保持手段５１は、その内部が空間になっており、保持手段５１の上面５１ａは、遊技者の所有する飲料用缶等が載置可能となっている。
【００５０】
また、図７に示すように、保持手段５１の背面には、皿ユニット側開口部１７１と連通する保持手段側開口部(熱伝達手段）１７２が形成されている。
【００５１】
したがって、本体１０の背面と保持手段５１の内部とは、本体側開口部１７０、皿ユニット側開口部１７１および保持手段側開口部１７２を介して連通している。
【００５２】
これにより、本体１０の背面と外枠９との間の高温になった空気が、本体側開口部１７０、皿ユニット側開口部１７１および保持手段側開口部１７２を介して、保持手段５１の内部に導かれるようになる。
【００５３】
また、図８、図９に示すように、保持手段５１の上面５１ａには複数の排熱用開口部５２が形成されており、保持手段５１の内部の空気が排出されるようになっている。これにより、本体１０の背面と外枠９との間の高温になった空気は、保持手段５１の内部に導かれた後に、排熱用開口部５２より排出される。
【００５４】
したがって、保持手段５１の上面５１ａに遊技者の所有する飲料缶等を載置すると、保持手段５１の上面５１ａに形成された排熱用開口部５２より排出される本体１０の背面の高温の空気により、当該飲料缶等が加熱される。
【００５５】
なお、複数の排熱用開口部５２は、保持手段５１上に載置した所定の対象物が不安定にならないような幅、大きさ、および間隔で形成されている。
【００５６】
また、排熱用開口部５２により、本体１０の背面で発生した高温の空気が外部に排出されるので、本体１０の背面の温度の上昇が緩和され、制御系ケース１５０に収納されている電子部品の熱の誤動作が防止されることになる。
【００５７】
保持手段５１の上面５１ａの下部には、排熱用開口部５２を開放状態とする開位置と、排熱用開口部５２を閉鎖状態とする閉位置とに変位可能な開閉部材５３が設けられている。そして、開閉部材５３が開位置の場合、排熱用開口部５２から保持手段５１の内部の高温の空気が外部に排出され、一方、開閉部材が閉位置である場合には、排熱用開口部５２は閉鎖され、保持手段５１の内部の高温の空気が外部に排出されることはない。
【００５８】
この開閉部材５３の開閉動作は、保持手段５１の前面に設けられた開閉ダイヤル５４の操作によって行われる。すなわち、例えば図示しない歯車機構を介して開閉ダイヤル５４の操作により開閉部材５３がその平面方向に往復動可能となっており、図９に示すように、開閉ダイヤル５４を時計回りに回転させると、開閉部材５３は閉位置に変位し、一方、開閉ダイヤル５４を反時計回りに回転させると、開閉部材５３は開位置に変位する。
【００５９】
ここで、保持ユニット５０は、皿ユニット５の左側に設けられているため、遊技者は、右手で皿ユニット５の右側に設けられたハンドル７を操作しながら、左手で開閉ダイヤル５４を操作することができる。
【００６０】
このように、遊技者は、開閉部材５３を開位置と閉位置とのどちらにするかを任意に選択することができる。そのため、保持ユニット５０に載置した遊技者の所有物を加熱もしくは保温したいと遊技者が欲するときは、開閉ダイヤル５４を反時計回りに回転させ、開閉部材５３を開位置に変位させることにより、排熱用開口部５２から熱を排出させる。また、反対に保持ユニット５０に載置した遊技者の所有物を温めたくないときは、開閉ダイヤル５４を時計回りに回転させ、開閉部材５３を閉位置に変位させることにより、排熱用開口部５２から熱を排出させないようにする。
【００６１】
なお、本実施の形態において、開閉変位手段は、開閉ダイヤル５４であるが、これに限られない。例えば開閉変位手段をレバーとし、レバーの操作によって開閉部材５３の開閉操作をしてもよいし、開閉変位手段をモータとし、ボタン操作等を介してモータで開閉部材５３を駆動するようにしてもよい。
【００６２】
収納室５５は保持手段５１の上部に設けられ、保持手段５１の上面５１ａに載置された遊技者の所有する飲料缶等を収納する。この収納室５５の前面には、収納扉５６が開閉可能に取り付けられている。したがって、収納扉５６を閉じている場合は、収納室５５の内部は外部と遮断された状態となる。
【００６３】
そのため、収納扉５６を閉じることにより、保持手段５１の内部から排熱用開口部５２を介して排出された高温の空気を、収納室５５の内部に閉じこめることができるので、効率的に収納室５５の内部を保温することが可能となっている。また、例えば、遊技者が保持手段５１に飲料用缶をおいている場合、飲み口から飲料用缶内に塵埃等が進入しにくくすることができる。
【００６４】
なお、収納扉５６の内側には強磁性体５６ａが取り付けられており、収納室５５の収納扉５６との接面には磁石５６ｂが強磁性体５６ａと対応する位置に取り付けられている(図８参照）。そして、収納扉５６が閉じている状態では、強磁性体５６ａと磁石５６ｂとが接着することにより、収納室５５の内部をより密閉性の高いものとしている。また、収納扉の外側に取り付けられた取っ手を引くことにより、簡単に収納扉５６は開くことができるようになっている。
【００６５】
以上説明したように、本実施の形態では、制御系ケース１５０に収納されている各電子部品より発生した熱によって上昇した本体１０の背面と外枠９との間の空気の熱が、本体側開口部１７０、皿ユニット側開口部１７１および保持手段側開口部１７２を介して、保持手段５１の内部に伝達されるようになっている。
【００６６】
これにより、本来であれば、何ら役に立たずに排熱されていた本体１０の背面と外枠９との間の空気の熱を、保持手段５１に載置した所定の対象物を温めるために有効利用することができる。例えば、遊技者の所有する飲料用缶を保持手段５１に載置した場合には、当該保持手段５１を介して当該飲料用缶を温めることができ、遊技者へ遊技以外のサービスを提供することが可能となる。
【００６７】
また、本体側開口部１７０、皿ユニット側開口部１７１および保持手段側開口部１７２を介して保持手段５１の内部に伝達された熱は、排熱用開口部５２より、外界へ排出されるようになっている。
【００６８】
このように、本体１０の背面で発生した熱を保持手段５１から排出することにより、排熱部と所定の対象物の保持部とを一体化しているので、構造を簡素化することができる。
【００６９】
また、保持手段５１の上に載置された所定の対象物(例えば遊技者の所有する飲料用缶）と接する面である保持手段５１の上面５１ａに形成された排熱用開口部５２から放熱されるので、より直接的に、当該対象物を加熱することができ、より効率的な熱利用が可能となる。
【００７０】
また、本体１０の背面と外枠９との間の空気の熱を排熱用開口部５２より外へ排出するので、本体１０の背面と外枠９との間の空気の熱が上昇することにより制御系ケース１５０内の電子部品が誤動作を起こすことを防止するという効果も同時に得ることが可能となる。
【００７１】
また、排熱用開口部５２に設けられた開閉部材５３を、開位置と閉位置とに開閉ダイヤル５４を操作することにより変位させることにより、排熱用開口部５２から排熱される状態と排熱されない状態とに切り替えることができるようになっている。
【００７２】
これにより、遊技者は、保持手段５１に載置した自らの所有物を加熱するか否かを選択することも可能となるので、より遊技者の望む態様で遊技者の所有物を保持し得る。
【００７３】
さらに、保持手段５１は、開閉可能な収納扉５６が取り付けられた収納室５５の内部に設けられている。
【００７４】
このため、収納扉５６を閉めている状態では、保持手段５１と保持手段５１に載置された所定の対象物は外界と遮断され、所定の対象物を温める熱は外界に流出されにくくなる。そのため、保持手段５１に載置されている遊技者の所有物等をより効率的に加熱することが可能となる。
【００７５】
また、例えば、遊技者が保持手段に飲料用缶をおいている場合、飲み口から飲料用缶内に塵埃等を進入しにくくすることが可能となる。
【００７６】
なお、以上説明した実施の形態において、排熱用開口部(排熱手段）５２は、保持手段５１の上面に形成されているが(図８、図９参照）、これに限らず、例えば、保持手段５１の側面に形成されてもよい。また、遊技機１の前面(例えば皿ユニット５の前面）に排熱用開口部５２を設けて、保持手段５１に載置された所定の対象物に向かってその背後から熱を排出するようにしてもよい。
【００７７】
また、本体１０の背面において発生し保持手段５１の内部空間に伝達された高温の空気は、保持手段５１に形成された排熱用開口部５２より外部に排出されているが、これに限らず、排熱用開口部５２を設けずに高温の空気を保持手段５１の内部空間にとどめ、保持手段５１を温めることにより、保持手段５１の上面５１ａに載置された所定の対象物を加熱するようにしてもよい。このとき、保持手段５１の上面５１ａは、熱伝導性の良好な金属材料(例えばアルミニウム）を用いて形成してもよい。
【００７８】
また、保持ユニット５０は、排熱用開口部５２、開閉部材５３、開閉ダイヤル５４が形成された保持手段５１と、当該保持手段５１を内部に納める収納扉５６が取り付けられた収納室５５とによって構成されている。しかしこれに限らず、収納室５５に収納扉５６が取り付けられないものとしてもよいし、収納室５５が設けられていなくてもよい。さらに、排熱用開口部５２に開閉部材５３が設けられていなくてもよいし、保持手段５１に排熱用開口部５２が形成されていなくてもよい。
【００７９】
また、本体１０の背面で発生した熱は、本体１０の背面の温度と保持手段５１周辺の空気の温度との格差を利用し、熱伝達手段である本体側開口部１７０、皿ユニット側開口部１７１および保持手段側開口部１７２を介して、排熱用開口部５２から外部へ流出するようになっている。しかし、これに限らず、例えば、図１０に示すように、皿ユニット側開口部１７１に送風用ファン６０を設置し、機械的に本体１０の背面で発生した熱を排熱用開口部５２から強制的に外部へ流出させるようにしてもよい。
【００８０】
そして、送風用ファン６０は、遊技者によるボタン操作により作動させてもよいし、保持手段５１の上面に、載置された所有の対象物を検出するセンサを設け、当該センサが所定の対象物が保持手段５１に載置されたと検出したことを条件に作動させるようにしてもよい。
【産業上の利用可能性】
【００８１】
以上の説明においては、本発明をパチンコ遊技機本体が遊技台に取り付けられた遊技機に適用した場合が説明されているが、本発明はこれに限定されるものではなく、パチスロ遊技機（スロットマシン）、雀球、スマートボールあるいはゲームセンターに設置された各種ゲーム機など、種々の遊技機に適用することが可能である。
【図面の簡単な説明】
【００８２】
【図１】本発明の一実施の形態である遊技機を示す斜視図である。
【図２】図１に示した遊技機の正面を示す正面図である。
【図３】図２に示した遊技盤の正面を示す正面図である。
【図４】図１に示した遊技機の要部を示す分解斜視図である。
【図５】本実施の形態に係る本体の要部の正面を示す正面図である。
【図６】本実施の形態に係る本体の裏面（背面）を示す斜視図である。
【図７】本実施の形態に係る皿ユニットを示す分解斜視図である。
【図８】本実施の形態に係る保持ユニットを示す斜視図である。
【図９】本実施の形態に係る保持手段を真上から示す図である。
【図１０】皿ユニットの要部の他の例を示す斜視図である。
【符号の説明】
【００８３】
１  遊技機
３  ガラス扉
４  上皿部
４ａ  上皿
５  皿ユニット
５ａ  下皿
６  カバー
７  ハンドル
８  シャッタレバー
９  外枠
９ａ，９ｂ  ヒンジ
１０  本体
１１ａ  外レール
１１ｂ  内レール
１２  一般入賞口
１３  通過ゲート
１４  始動入賞口
１５  大入賞口
１６  アウト口
１８  電動役物構成部材
２１  遊技盤
２１ａ  遊技領域
２２  液晶表示装置
２３  開閉扉
５０  保持ユニット
５１  保持手段
５１ａ  保持手段の上面
５２  排熱用開口部
５３  開閉部材
５４  開閉ダイヤル
５５  収納室
５６  収納扉
５６ａ  強磁性体
５６ｂ  磁石
６０  送風用ファン
１０１〜１０４  ブラケット
１１０，１２０  スピーカ
１３０  貯留タンク
１４１，１４２，１４３，１４４  取付係止部
１４１〜１４４  取付係止部
１５０  制御系ケース
１７０  本体側開口部
１７１  皿ユニット側開口部
１７２  保持手段側開口部
４１０，４２０  蓋部
【図１】
2007307112.tif 000003
【図２】
2007307112.tif 000004
【図３】
2007307112.tif 000005
【図４】
2007307112.tif 000006
【図５】
2007307112.tif 000007
【図６】
2007307112.tif 000008
【図７】
2007307112.tif 000009
【図８】
2007307112.tif 000010
【図９】
2007307112.tif 000011
【図１０】
2007307112.tif 000012